(57)【要約】【課題】従来の仕切板を設置する方法では、電極ユニットと仕切板との間に隙間で塵埃空気が抜けてしまうため、集じん効率が下がるという課題があった。また、仕切板によりノズルから吹かれた水が干渉し、ノズルを多数設置する必要があるため、コストがかかるという課題があった。【解決手段】帯電極板部２の風上側に上流側仕切板４を、帯電極板部２と集じん極板部３の間に中間仕切板５を、集じん極板部３の風下側に下流側仕切板６を設け、上流側仕切板４、中間仕切板５、下流側仕切板６には、塵埃空気を通す開口部を設ける。中間仕切板５は、帯電極板部２、あるいは集じん極板部３の平行電極板の構成する風路面積より小さい開口面積をとすることで、帯電極板部２および集じん極板部３を確実に通過させ高い集じん効率を得ることができる。【選択図】図１
2010022901.tif 000002
【特許請求の範囲】
【請求項１】
平行電極板に荷電して空気中に含まれる粉塵等を帯電させる帯電極板部と帯電させた粉塵等を集じんする集じん極板部で構成される電気集じん機において、帯電極板部と集じん極板部との間に帯電極板部もしくは集じん極板部の平行電極板が構成する風路面積より小さい開口面積を有した中間仕切板を設けたことを特徴とする電気集じん機。
【請求項２】
前記帯電極板部の風上側に前記帯電極板部の平行電極板が構成する風路面積より小さい開口面積を有した上流側仕切板を設けたことを特徴とする請求項１に記載の電気集じん機。
【請求項３】
前記集じん極板部の風下側に前記集じん極板部の平行電極板が構成する風路面積より小さい開口面積を有した下流側仕切板を設けることを特徴とする請求項１または２に記載の電気集じん機。
【請求項４】
前記帯電極板部および集じん極板部を上流側仕切板および下流側仕切板を取り外し、中間仕切板を境に帯電極板部は上流側へ、集じん極板部は下流側へ引き出す手段を備えた請求項１〜３いずれかひとつに記載の電気集じん機。
【請求項５】
前記電気集じん部の上流側、下流側にそれぞれ設けた第１、第２のフィルターと、その第１のフィルターの上流側と第２のフィルターの下流側にそれぞれ設けた第１、第２の閉鎖手段と、帯電電極部および集じん電極部および第１のフィルターおよび第２のフィルターの上部に、電気集じん部と第１・第２のフィルターを洗浄する洗浄液噴霧部とを設け、洗浄時には前記第１、第２の閉鎖手段を閉鎖して電気集じん機内を閉鎖し、前記洗浄液噴霧部から洗浄液を噴霧することを特徴とする請求項１〜４いずれかひとつに記載の電気集じん機。
【請求項６】
前記第１の閉鎖手段と第２の閉鎖手段の間において、その下部にドレン板形状の底板を設け、この底板には、中間仕切板の直下に排水口を設け、排水配管を接続するとともに、この排水配管内部には中間仕切板の延長上に配管仕切板を設けたことを特徴とする請求項５に記載の電気集じん機。
【請求項７】
前記排水配管には、洗浄液を再利用する戻し配管と、洗浄液を廃棄する排出用配管を接続し、排水口からの排水経路を戻し配管と排出用配管とで切替える切替手段を備えた請求項６に記載の電気集じん機。
【請求項８】
前記排水口を液体で塞ぐことのできる高さに位置するドレントラップを備えた請求項６または７に記載の電気集じん機。
【請求項９】
前記ドレントラップの水位を検知する水位計を備えた請求項８に記載の電気集じん機。
【発明の詳細な説明】
【技術分野】
【０００１】
本発明は、例えば切削加工現場における機械油によるオイルミストや粉塵等の混在した塵埃を捕集する電気集じん機に関する。
【背景技術】
【０００２】
従来、洗浄機能付の電気集じん機における集じん効率を良くする方法として集じんユニットの入り口側に遮風板を入れる方法が知られている。（例えば、特許文献１参照）。
【０００３】
以下、その従来の電気集じん機の方法について図３を参照しながら説明する。
【０００４】
図３は従来の電気集じん機の平行電極板洗浄システムの側面図である。
【０００５】
図３に示すように、電気集じん機の集じんユニット本体で、この本体１０１の前面に入口扉１０２が設けられ、後面に出口扉１０３が設けられている。また、上記本体１内の空気流路中には、電極ユニット１０４ａ，１０４ｂが設けられ、多数の放電極及び集じん極等が設けられており、放電極は、絶縁碍子５を介して直流高電圧が供給され、集じん極は接地される。
【０００６】
上記入口扉１０２及び出口扉１０３には、その内部に汚染空気の流入を制御するダンパー１０６が設けられると共に、裏面側および天井部位に上記電極ユニット１０４ａ，１０４ｂを水洗浄するための洗浄ノズル１０７が設けられ、更に、本体１内の底部には、洗浄した水を排出するための排出路１０８が設けられる。
【０００７】
また、上記電極ユニット１０４ａ，１０４ｂの前面側、すなわち、空気流入側には、電極ユニット１０４ａ，１０４ｂの上下端と本体１との隙間、及び電極ユニット１０４ａと電極ユニット１０４ｂとの隙間を塞ぐ入口遮風板１０９が設けられ、電極ユニット１０４ａ，１０４ｂの周囲、すなわち、側面、上面及び下面に空気の流れ方向に沿って複数の遮風板１１２を所定の間隔で設けたもので、洗浄水を排出する排出路８の障害とならないように、排出路８との間に所定の間隔を設けるか、あるいは遮風板１１２自体に複数の孔を設けるなどの処置を施してある。
【０００８】
しかし、このような場合には、電極ユニットと遮風板との間に隙間を生じ、煤塵空気はこの隙間を抜けてしまうため、集じん効率が下がってしまう。また、遮風板を多く設置すればするほど洗浄ノズルが必要となり、コストがかかるという問題がある。
【特許文献１】特開平１１−９０２６４号公報
【発明の開示】
【発明が解決しようとする課題】
【０００９】
このような従来の電気集じん機において遮風板を設置する方法では、電極ユニットと遮風板との間に隙間を生じ、煤塵空気はこの隙間を抜けてしまうため、集じん効率が下がってしまうといった課題があった。また、遮風板によって洗浄ノズルから吹かれた水が干渉されるため、遮風板を設置すればするほど洗浄ノズルが必要となり、コストがかかるといった課題があった。
【００１０】
本発明は、このような従来の課題を解決するものであり、防塵空気を帯電極板ならびに集じん極板へ確実に通して、高い集じん効率が得られる電気集じん機を提供することを目的としている。
【課題を解決するための手段】
【００１１】
本発明の電気集じん機は上記目的を達成するために、平行電極板に荷電して空気中に含まれる粉塵等を帯電させる帯電極板部と帯電させた粉塵等を集じんする集じん極板部で構成される電気集じん機において、帯電極板部と集じん極板部との間に帯電極板部もしくは集じん極板部の平行電極板が構成する風路面積より小さい開口面積を有した中間仕切板を設けたことを特徴とするものである。
【００１２】
これにより、空気中に含まれる粉塵等を帯電極板部から集じん極板部へ確実に通過させることができる。
【００１３】
また、他の手段は、前記帯電極板部の前記風上側に帯電極板部の平行電極板が構成する風路面積より小さい開口面積を有した上流側仕切板を設け、たことを特徴とするものである。
【００１４】
これにより、空気中に含まれる粉塵等を帯電極板部に確実に通過させることができる。
【００１５】
また、他の手段は、前記集じん極板部の前記風下側に集じん極板部の平行電極板が構成する風路面積より小さい開口面積を有した下流側仕切板を設けたことを特徴とするものである。
【００１６】
これにより、帯電極板部によって帯電させた粉塵等を集じん極板部に確実に通過させることができる。
【００１７】
また、他の手段は、前記帯電極板部および集じん極板部を上流側仕切板および下流側仕切板を取り外すことで中間仕切板を境に前後へ帯電極板部と集じん極板部を引き出すことができる。
【００１８】
これにより、帯電極板部と集じん極板部が個々にメンテナンスすることができ、引き出す際の重量をおさえることができる。
【００１９】
また、他の手段は、前記電気集じん部の上流側、下流側にそれぞれ設けた第１、第２のフィルターと、その第１のフィルターの上流側と第２のフィルターの下流側にそれぞれ設けた第１、第２の閉鎖手段と、帯電電極部および集じん電極部および第１のフィルターおよび第２のフィルターの上部に、電気集じん部と第１・第２のフィルターを洗浄する洗浄液噴霧部とを設け、洗浄時には前記第１、第２の閉鎖手段を閉鎖して電気集じん機内を閉鎖し、前記洗浄液噴霧部から洗浄液を噴霧することを特徴とするものである。
【００２０】
これにより、洗浄剤噴霧時に閉鎖手段より電気集じん機とフィルターへ同時に洗浄剤が漏れないように噴霧することができる。また、ミスト状の洗浄液を噴霧することにより少量の洗浄液で密閉空間内を浸漬することができる。
【００２１】
また、他の手段は、前記第１および第２の閉鎖手段間において、その下部にドレン板形状の底板を設け、中間仕切板をまたぐ位置の底板に排水口を設け、排水口の先には配管を設け、配管内部には中間仕切板の延長上に配管仕切板を設けたことを特徴としたものである。
【００２２】
これにより、帯電極板部ならびに集じん極板部を通過せずに排出されることを確実に防ぐことができる。
【００２３】
また、他の手段は、前記配管には、洗浄液を再利用する戻し配管と、洗浄液を廃棄する排出用配管を接続し、排水口からの排水経路を戻し配管と排出用配管とで切替える切替手段を備えたものである。
【００２４】
これにより、電気集じん機より排出される洗浄液を再利用でき、最終的に廃棄する場合には排出用配管にて洗浄液を廃棄することができる。
【００２５】
また、他の手段は、前記開口を液体で塞ぐことのできるドレントラップを備えたものである。
【００２６】
これにより、底板の排水口の位置をドレンとラップの水位を合わせることで排水口を液体で塞ぎ、帯電極板部ならびに集じん極板部を通過せずに排出されることを確実に防ぐことができる。
【００２７】
また、他の手段は、前記ドレントラップの水位を検知する水位計を備えたものである。
【００２８】
これにより、中間仕切板もしくは底板の排水口を確実に塞ぐことができる。
【発明の効果】
【００２９】
本発明によれば、帯電部入口側、帯電極板部と集じん極板部との間および集じん極板部出口側にそれぞれ帯電極板および集じん極板の平行電極板面積より小さい開口を有した仕切板を配置することで、確実に帯電極板ならびに集じん極板に煤塵空気を確実に流すことができるため。非常に高い集じん効率を得ることが出来る。
【発明を実施するための最良の形態】
【００３０】
（実施の形態１）
図１〜２は本発明の実施の形態１に示す電気集じん機１の側断面の概略図ならびに分解図である。
【００３１】
図１に示すように、電気集じん機１は送風手段である送風機などにより、汚れを含んだ空気を図１の矢印の方向に送風し、帯電極板部２によって空気中に含まれる汚れに帯電させ、集じん極板部３において集じんするものである。
【００３２】
図１に示すように帯電極板部２の風上側に帯電極板部２の平行電極板の構成する風路面積より小さい開口面積を有した上流側仕切板４を設け、帯電極板部２と集じん極板部３の間に帯電極板部２もしくは集じん極板部３の平行電極板が構成する風路面積より小さい開口面積を有した中間仕切板５を設け、集じん極板部３の風下側に集じん極板部３の平行電極板が構成する風路面積より小さい開口面積を有した下流側仕切板６を設ける。また、上流側仕切板４の前と下流側仕切板６の後には第１フィルター８および第２フィルター９が設置されている。さらにその外側に閉鎖手段として例えば第１電動ダンパー１０および第２電動ダンパー１１が設置されている。なお、閉鎖手段としては、他に空気圧または油圧を用いたものも考えられる。また、閉鎖手段としては、シャッターもしくは巻き取りカバーを使用しても良い。また、帯電極板部２、集じん極板部３、第１、第２フィルター９の上部には洗浄ノズル１２が設置されている。この洗浄ノズル１２からは、帯電極板部２、集じん極板部３ならびに第１フィルター８、第２フィルター９を洗浄剤もしくは水にて洗浄するためのものである。なお、洗浄ノズル１２へ供給される洗浄剤もしくは水は、図示しないが電気集じん機１の外郭もしくは洗浄タンク１３もしくは戻し配管のいずれかに、配管もしくはホースを接続して供給し、接続される前には電動ボール弁が設けられている。また、電気集じん機１の下部には洗浄タンク１３が設置されている。洗浄タンク１３の底部には傾斜が設けられており、底部に設けられた配管から洗浄ノズル１２へ戻す配管と排水する配管が設置されており、循環分岐用電動ボール弁１４と排水分岐用電動ボール弁１７により、それぞれの配管経路へ分岐することができる。なお、循環分岐用電動ボール弁１４と排水分岐用電動ボール弁１７は分岐地点に三方弁を使用することで、代用しても良い。また、洗浄タンク１３の内部には中間仕切板５の下部延長上に配管仕切板７が設置されている。また、洗浄ノズル１２へ戻す配管経路には、循環分岐用電動ボール弁１４の後にストレーナ１５および循環ポンプ１６が設置されている。なお、ストレーナ１５は洗浄タンク１３から分岐地点の間に設置しても良い。また、排水する配管経路には、排水分岐用電動ボール弁１７の後にドレンポット１８および排水用電動ボール弁２０が設置されている。また、ドレンポット１８内にはフロートセンサー１９が設置されている。
【００３３】
以上の構成により、本実施の形態の動作について説明する。粉塵、オイルミスト等を含んだ空気は、電気集じん機１内部に設置されている帯電極板部２で帯電され、その後方に設置されている集じん極板部３にて帯電した粉塵、オイルミスト等を集じんする。この集じん処理を行うとき、帯電極板部２ならびに集じん極板部３の平行電極板間部分を流入空気を通過させることが重要である。本発明では、帯電極板部２の前に設置された上流側仕切板４、帯電極板部２と集じん極板部３の間に設置された中間仕切板５、集じん極板部３の後に設置された下流側仕切板６にはそれぞれ開口が設けてあるが、上流側仕切板４または中間仕切板５の開口は帯電極板部２または集じん極板部３の平行電極板の構成する風路面積より小さくなっているため、確実に流入空気が平行電極板間を通過することができる。また、下流側仕切板６の開口は集じん極板部３の平行電極板の構成する風路面積より小さくなっているため、集じん極板部３の出口側において流出空気が平行電極板間をより多く通過することができる。また、電気集じん機１の下部に設置されている洗浄タンク１３は中間仕切板５の下部によって仕切られており、帯電極板部２を通過した後、洗浄タンク１３を通って集じん極板部３へ空気が流れるのを防ぐことができる。
【００３４】
また、洗浄タンク１３の下部に設置されている配管内部に配管仕切板７を設置し、配管仕切板７の下端より上に水を張ることで洗浄タンク１３を通って集じん極板部３へ空気が流れるのを確実に防ぐことができる。さらに、排水経路内にはドレンポット１８を配置し、その中にフロートセンサー１９を設置する。前述の洗浄ノズル１２より噴霧された洗浄剤もしくは水は、洗浄タンク１３から排水分岐用電動ボール弁１７を通ってドレンポット１８および排水用電動ボール弁２０が設置された排水配管にて排水されるが、配管仕切板７の下端より上の位置とフロートセンサー１９の反応する位置を一致させ、フロートセンサー１９が反応した位置で排水用電動ボール弁２０を閉とし、排水を停止することにより、水位を調整できるようにする。これにより、流入空気が帯電極板部２によって帯電が十分なされ、集じん極板部３において高い集じん効率を実現できる。
【００３５】
また、粉塵、オイルミスト等を含んだ空気は、電気集じん機１によって浄化すると帯電極板部２と集じん極板部３に汚れ成分が付着する。空気中の汚れが帯電極板部２と集じん極板部３に付着して集じん効率が悪くなった場合、もしくは第１フィルター８、第２フィルター９に汚れ分が付着して目詰まりが生じた場合には、圧力損失が増大し、かつ、集じん効率が低下するため、定期的に帯電極板部２と集じん極板部３ならびに第１フィルター８、第２フィルター９に洗浄ノズル１２によって上部から洗浄剤もしくは水の噴霧を実施する。
【００３６】
また、洗浄を実施する手段として、循環分岐用電動ボール弁１４を開け、排水分岐用電動ボール弁１７を閉めて、外部から供給された洗浄剤もしくは水を洗浄タンク１３から循環ポンプ１６で洗浄ノズル１２へ供給する。また、ストレーナ１５を通過することで、洗浄ノズル１２のつまりを回避し、洗浄剤もしくは水を循環させることで、使用量を削減することができる。また、洗浄が終了した後に排水する手段として、循環分岐用電動ボール弁１４を閉め、排水分岐用電動ボール弁１７および排水用電動ボール弁２０を開けて行う。これにより、洗浄動作から排水作業までを自動化することが可能となり、メンテナンスの省力化を実現することができる。
【００３７】
また、図２に示すように、帯電極板部２と集じん極板部３ならびに第１フィルター８、第２フィルター９をメンテナンスする場合、これらを電気集じん機１から取外す必要がある。このとき、図２の分解図に示すように、第１電動ダンパー１０および第２電動ダンパー１１を外した後、第１フィルター８および第２フィルター９、上流側仕切板４および下流側仕切板６、帯電極板部２および集じん極板部３を順次取り出すことができ、メンテナンスが容易に行うことができる。例えば、電気集じん機１が第１電動ダンパー１０、第２電動ダンパー１１までセットされた状態で、図示されていないがチャンバーの中に設置されていた場合、第１電動ダンパー１０、第２電動ダンパー１１をヒンジ機構にして開閉できるようにして、第１フィルター８、第２フィルター９、上流側仕切板４および下流側仕切板６、帯電極板部２および集じん極板部３はねじ等で各部品を固定することなく取外すことが可能となり、さらにメンテナンスを容易に行うことができる。また、帯電極板部２および集じん極板部３を横から取り出す場合には、帯電極板部２と上流側仕切板４，中間仕切板５ならびに集じん極板部３と中間仕切板５，下流側仕切板６との接触面に無給油ベアリングなどの摺動部品を装着することにより可能となる。また、帯電極板部２および集じん極板部３は、別々に取り出すことになるため、重量が軽くなり、場合によっては人力で十分おろすことが可能となり、チェーンブロックなど追加の機器を搭載することが無いため、コストを抑えることができる。
【００３８】
また、本実施の形態では、上流側仕切板４、中間仕切板５、下流側仕切板６を用いたが、帯電極板部２、集じん極板部３の小さい方の風路面積よりも小さい開口を設けた中間仕切板５のみの構成でもよい。このような構成によれば、簡易な構成で平行電極版の間を空気が通過するようにできる。さらに、帯電極板部２、集じん極板部３の小さい方の風路面積側に仕切板を設ける、すなわち、上流側仕切板４と中間仕切板５を設けた構成、または、中間仕切板５と下流側に下流側仕切板６を設けた構成がでもよい。
【産業上の利用可能性】
【００３９】
平行電極板に高電圧を印加して集じんする電気集じん機において、帯電部の前、帯電部と集じん部の間および集じん部の後に仕切板を設け、オイルミストなどを含んだ空気が平行電極板間を通過するようにすることにより、高い集じん効率を得ることができる。また、粘着性のある集じん物質にも対応できるため塵や埃だけでなくオイルミストや焼却施設の煤塵処理、食堂等の飲食店の厨房などの油汚れの洗浄用途にも対応できる。
【図面の簡単な説明】
【００４０】
【図１】本発明の実施の形態１の電気集じん機１の側断面の概略図
【図２】本発明の実施の形態１の電気集じん機１の分解時の概略図
【図３】従来の電気集じん機の側断面図
【符号の説明】
【００４１】
１    電気集じん機
２    帯電極板部
３    集じん極板部
４    上流側仕切板
５    中間仕切板
６    下流側仕切板
７    配管仕切板
８    第１フィルター
９    第２フィルター
１０  第１電動ダンパー
１１  第２電動ダンパー
１２  洗浄ノズル
１３  洗浄タンク
１４  循環分岐用電動ボール弁
１５  ストレーナ
１６  循環ポンプ
１７  排水分岐用電動ボール弁
１８  ドレンポット
１９  フロートセンサー
２０  排水用電動ボール弁
【図１】
2010022901.tif 000003
【図２】
2010022901.tif 000004
【図３】
2010022901.tif 000005